【手続補正書】
【提出日】令和3年5月18日(2021.5.18)
【手続補正１】
【補正対象書類名】特許請求の範囲
【補正対象項目名】全文
【補正方法】変更
【補正の内容】
【特許請求の範囲】
【請求項１】
車両の運転者が前記車両に乗降可能な乗降室が設けられる機械式駐車装置であって、
安全確認者による安全確認の終了が入力される入力手段と、
前記入力手段の近辺に配置され、前記入力手段の位置から前記安全確認者の目視できない領域の安全確認を可能とする安全確認手段と、
前記乗降室外に配置され、前記車両の搬送の許可が入力される許可入力手段と、
前記入力手段に前記安全確認の終了が入力されている状態で、前記許可入力手段への操作が行われた後に、前記車両の搬送を実行する制御手段と、
を備える機械式駐車装置。
【請求項２】
前記安全確認手段は、
前記入力手段の位置から前記安全確認者の目視できない領域を撮像するカメラと、
前記入力手段の近傍に設けられるとともに、前記カメラで撮像された画像を表示するモニタと、
を含む請求項１に記載の機械式駐車装置。
【請求項３】
前記カメラは、前記入力手段の位置から前記車両に対して反対側の領域を撮像する請求項２に記載の機械式駐車装置。
【請求項４】
前記安全確認手段は、前記入力手段の位置から前記安全確認者の目視できない領域を映す鏡を含む請求項１に記載の機械式駐車装置。
【請求項５】
前記入力手段は、前記乗降室内に配置されている請求項１から４のいずれかに記載の機械式駐車装置。
【請求項６】
前記入力手段は、前記乗降室外に配置されている請求項１から４のいずれかに記載の機械式駐車装置。
【請求項７】
前記乗降室の外側に設けられた操作盤を備え、
前記入力手段は、前記操作盤又は前記操作盤の近傍に設けられている請求項１から４のいずれかに記載の機械式駐車装置。
【請求項８】
前記乗降室内に人が居残っていることを知らせるセンサ信号を出力するセンサを備え、
前記制御手段は、前記許可入力手段への操作が有効化された後に、前記センサによって
前記センサ信号が出力された場合に、前記入力手段への前記安全確認の終了の入力を解除
するとともに、前記許可入力手段への操作を無効化する請求項１から７のいずれかに記載の機械式駐車装置。
【請求項９】
人の前記乗降室への入退室を検知する入退室検知手段を備え、
前記制御手段は、前記入力手段に前記安全確認の終了が入力された後に、前記入退室検知手段によって前記乗降室への人の入室が検知された場合、前記入力手段への前記安全確認の終了の入力を解除する請求項１から７のいずれかに記載の機械式駐車装置。
【請求項１０】
車両の運転者が前記車両に乗降可能な乗降室、安全確認者による安全確認の終了が入力される入力手段、前記入力手段の近辺に配置されるとともに、前記入力手段の位置から前記安全確認者の目視できない領域の安全確認を可能とする安全確認手段、及び前記乗降室外に配置され、前記車両の搬送の許可が入力される許可入力手段を備える機械式駐車装置の制御方法であって、
前記入力手段が、前記安全確認者による前記安全確認の終了を受け付ける工程と、
前記入力手段に前記安全確認の終了が入力されている状態で、前記許可入力手段への操作が行われた後に、前記車両の搬送を実行する工程と
を含む機械式駐車装置の制御方法。
【手続補正２】
【補正対象書類名】明細書
【補正対象項目名】発明の名称
【補正方法】変更
【補正の内容】
【発明の名称】機械式駐車装置及びその制御方法
【手続補正３】
【補正対象書類名】明細書
【補正対象項目名】０００１
【補正方法】変更
【補正の内容】
【０００１】
本発明は、機械式駐車装置及びその制御方法に関するものである。
【手続補正４】
【補正対象書類名】明細書
【補正対象項目名】０００７
【補正方法】変更
【補正の内容】
【０００７】
本発明は、このような事情に鑑みてなされたものであって、より確実に乗降室から人が退出した後に動作を行い、乗降室内の安全性が確保される、機械式駐車装置及びその制御方法を提供することを目的とする。
【手続補正５】
【補正対象書類名】明細書
【補正対象項目名】０００９
【補正方法】変更
【補正の内容】
【０００９】
本発明の第一態様は、車両の運転者が前記車両に乗降可能な乗降室が設けられる機械式駐車装置であって、安全確認者による安全確認の終了が入力される入力手段と、前記入力手段の近辺に配置され、前記入力手段の位置から前記安全確認者の目視できない領域の安全確認を可能とする安全確認手段と、前記乗降室外に配置され、前記車両の搬送の許可が入力される許可入力手段と、前記入力手段に前記安全確認の終了が入力されている状態で、前記許可入力手段への操作が行われた後に、前記車両の搬送を実行する制御手段とを備える機械式駐車装置である。
本発明の第二態様は、車両の運転者が前記車両に乗降可能な乗降室、安全確認者による安全確認の終了が入力される入力手段、前記入力手段の近辺に配置されるとともに、前記入力手段の位置から前記安全確認者の目視できない領域の安全確認を可能とする安全確認手段、及び前記乗降室外に配置され、前記車両の搬送の許可が入力される許可入力手段を備える機械式駐車装置の制御方法であって、前記入力手段が、前記安全確認者による前記安全確認の終了を受け付ける工程と、前記入力手段に前記安全確認の終了が入力されている状態で、前記許可入力手段への操作が行われた後に、前記車両の搬送を実行する工程とを含む機械式駐車装置の制御方法である。
本発明の参考例としての他の態様は、格納庫へ搬送される車両が載置され、前記車両の運転者が前記車両に乗降可能な乗降室を備える機械式駐車装置であって、人による安全確認の終了が入力される入力手段と、前記入力手段に前記安全確認の終了が入力されている状態で、前記車両の搬送を実行する制御手段とを備え、同一の前記入力手段から少なくとも２回の入力がなされた場合に前記安全確認の終了が入力される機械式駐車装置である。
【手続補正６】
【補正対象書類名】明細書
【補正対象項目名】００１０
【補正方法】変更
【補正の内容】
【００１０】
本発明の参考例としての他の態様は、格納庫へ搬送される車両が載置され、前記車両の運転者が前記車両に乗降可能な乗降室を備える機械式駐車装置であって、人による安全確認の終了が入力される入力手段と、前記入力手段に前記安全確認の終了が入力されている状態で、前記車両の搬送を実行する制御手段とを備え、前記入力手段は、携帯認証媒体に記録されている情報を読み取る情報読取手段を有し、前記情報読取手段によって前記携帯認証媒体に記憶されている情報が読み取られることにより前記安全確認の終了の入力が行われる機械式駐車装置である。
【手続補正７】
【補正対象書類名】明細書
【補正対象項目名】００１１
【補正方法】変更
【補正の内容】
【００１１】
本発明の参考例としての他の態様は、格納庫へ搬送される車両が載置され、前記車両の運転者が前記車両に乗降可能な乗降室を備えるとともに、人による安全確認の終了が入力される複数の入力手段を有する機械式駐車装置の制御方法であって、同一の前記入力手段から少なくとも２回の入力がなされた場合に前記安全確認の終了が入力されたことを検出する入力検出過程と、前記入力手段に前記安全確認の終了が入力されている状態で、前記車両の搬送を実行する搬送実行過程とを有する機械式駐車装置の制御方法である。
【手続補正８】
【補正対象書類名】明細書
【補正対象項目名】００１２
【補正方法】変更
【補正の内容】
【００１２】
本発明の参考例としての他の態様は、格納庫へ搬送される車両が載置され、前記車両の運転者が前記車両に乗降可能な乗降室を備えるとともに、人による安全確認の終了が入力される複数の入力手段を有する機械式駐車装置の制御方法であって、携帯認証媒体に記録されている情報を読み取ることにより、前記入力手段に安全確認の終了が入力されたことを検出する入力検出過程と、前記入力手段に前記安全確認の終了が入力されている状態で、前記車両の搬送を実行する搬送実行過程とを有する機械式駐車装置の制御方法である。
【手続補正９】
【補正対象書類名】明細書
【補正対象項目名】００１３
【補正方法】変更
【補正の内容】
【００１３】
本発明の参考例としての他の態様は、格納庫へ搬送される車両が載置され、前記車両の運転者が前記車両に乗降可能な乗降室を備えるとともに、人による安全確認の終了が入力される複数の入力手段を有する機械式駐車装置に適用される制御プログラムであって、同一の前記入力手段から少なくとも２回の入力がなされた場合に前記安全確認の終了が入力されたことを検出する入力検出処理と、前記入力手段に前記安全確認の終了が入力されている状態で、前記車両の搬送を実行する搬送実行処理とをコンピュータに実行させるための機械式駐車装置の制御プログラムである。
【手続補正１０】
【補正対象書類名】明細書
【補正対象項目名】００１４
【補正方法】変更
【補正の内容】
【００１４】
本発明の参考例としての他の態様は、格納庫へ搬送される車両が載置され、前記車両の運転者が前記車両に乗降可能な乗降室を備えるとともに、人による安全確認の終了が入力される複数の入力手段を有する機械式駐車装置に適用される制御プログラムであって、携帯認証媒体に記録されている情報を読み取ることにより、前記入力手段に安全確認の終了が入力されたことを検出する入力検出処理と、前記入力手段に前記安全確認の終了が入力されている状態で、前記車両の搬送を実行する搬送実行処理とをコンピュータに実行させるための機械式駐車装置の制御プログラムである。